(57)【要約】【課題】  ICカードが挿入されるアクティブ非接触情報記憶装置の消費電力を減少させる。【解決手段】  非接触情報記憶装置内の情報にアクセスするための情報アクセス・システム(204)において、アクティブ型非接触情報記憶装置における検知手段はICカードの有無を検知し、検知手段(606)によってICカード(620)が有ることが検知されているとき、制御部(210)は、ICカード読取り書込み手段(602)をイネーブルして、ICカード読取り書込み手段にID要求を供給し、ID要求に応答してICカード読取り書込み手段によって読み取られたICカードのIDおよびデータを受け取り、その後ＩＣカード読取り書込み手段をディセーブルし、受信部(190,250)が非接触情報読取り書込み装置(302)からそのID要求を搬送するRF信号(f1)を受信したとき、制御部は、ID要求を搬送するRF信号に応答して、送信部(190,230)を、ICカードのIDを含む応答を搬送するRF信号(f2,f2i)を送信するよう動作させる。【選択図】  図１１
2007065960.tif 000002
【特許請求の範囲】
【請求項１】
情報処理装置に接続されていて、ＩＤ要求を搬送するＲＦ信号を送信し、応答を搬送するＲＦ信号を受信するよう構成された非接触情報読取り書込み装置と、
メモリと、バッテリと、前記ＩＤ要求を搬送するＲＦ信号を受信する受信部と、前記ＩＤ要求を搬送するＲＦ信号を受信したときに、前記応答を搬送するＲＦ信号を送信する送信部と、前記受信部および前記送信部を制御する制御部と、ＩＣカードの有無を検知する検知手段と、ＩＣカード読取り書込み手段と、を具えるアクティブ型非接触情報記憶装置と、
を含む、非接触情報記憶装置内の情報にアクセスするための情報アクセス・システムであって、
前記検知手段は前記アクティブ型非接触情報記憶装置における前記ＩＣカードの有無を検知し、
前記検知手段によって前記ＩＣカードが有ることが検知されているとき、前記制御部は、前記ＩＣカード読取り書込み手段をイネーブルして、前記ＩＣカード読取り書込み手段にＩＤ要求を供給し、前記ＩＤ要求に応答して前記ＩＣカード読取り書込み手段によって読み取られた前記ＩＣカードのＩＤおよびデータを受け取り、その後前記ＩＣカード読取り書込み手段をディセーブルし、
前記受信部が前記非接触情報読取り書込み装置から前記ＩＤ要求を搬送するＲＦ信号を受信したとき、前記制御部は、前記ＩＤ要求を搬送するＲＦ信号に応答して、前記送信部を、前記ＩＣカードのＩＤを含む応答を搬送するＲＦ信号を送信するよう動作させることを特徴とする、情報アクセス・システム。
【請求項２】
前記制御部は、前記非接触情報読取り書込み装置から受信した前記ＩＤ要求の認証を行い、前記ＩＤ要求の前記認証に成功したとき、前記送信部を、前記ＩＣカードのＩＤを含む応答を搬送するＲＦ信号を送信するよう動作させ、
前記情報処理装置または前記非接触情報読取り書込み装置は、前記アクティブ型非接触情報記憶装置から受信した前記ＩＣカードのＩＤの認証を行うものであることを特徴とする、請求項１に記載の情報アクセス・システム。
【請求項３】
メモリと、
バッテリと、
ＩＤ要求を搬送するＲＦ信号を受信する受信部と、
前記ＩＤ要求を搬送するＲＦ信号を受信したときに、応答を搬送するＲＦ信号を送信する送信部と、
前記受信部および前記送信部を制御する制御部と、
ＩＣカードの有無を検知する検知手段と、
ＩＣカード読取り書込み手段と、
を具えるアクティブ型非接触情報記憶装置であって、
前記検知手段は前記アクティブ型非接触情報記憶装置における前記ＩＣカードの有無を検知し、
前記検知手段によって前記ＩＣカードが有ることが検知されているとき、前記制御部は、前記ＩＣカード読取り書込み手段をイネーブルして、前記ＩＣカード読取り書込み手段にＩＤ要求を供給し、前記ＩＤ要求に応答して前記ＩＣカード読取り書込み手段によって読み取られた前記ＩＣカードのＩＤおよびデータを受け取り、その後前記ＩＣカード読取り書込み手段をディセーブルし、
前記受信部が前記非接触情報読取り書込み装置から前記ＩＤ要求を搬送するＲＦ信号を受信したとき、前記制御部は、前記ＩＤ要求を搬送するＲＦ信号に応答して、前記送信部を、前記ＩＣカードのＩＤを含む応答を搬送するＲＦ信号を送信するよう動作させることを特徴とする、アクティブ型非接触情報記憶装置。
【請求項４】
前記検知手段によって前記ＩＣカードが無いことが検知されたとき、前記制御部は前記メモリにおける前記ＩＣカードのＩＤを削除するものであることを特徴とする、請求項３に記載のアクティブ型非接触情報記憶装置。
【請求項５】
前記受信部が前記非接触情報読取り書込み装置から前記ＩＤ要求を搬送するＲＦ信号を受信したとき、前記制御部は、前記ＩＤ要求を搬送するＲＦ信号に応答して、前記検知手段によって前記ＩＣカードが有ることが検知されているとき、前記ＩＣカード読取り書込み手段をイネーブルして、前記ＩＣカード読取り書込み手段にＩＤ要求を供給し、前記ＩＤ要求に応答して前記ＩＣカード読取り書込み手段によって読み取られた前記ＩＣカードのＩＤおよびデータを受け取って、次いで前記ＩＣカード読取り書込み手段をディセーブルし、前記送信部を、前記ＩＣカードのＩＤを含む応答を搬送するＲＦ信号を送信するよう動作させることを特徴とする、請求項３に記載のアクティブ型非接触情報記憶装置。
【発明の詳細な説明】
【技術分野】
【０００１】
本発明は、リーダ／ライタ装置によって非接触で情報の読み取り書き込みが可能なアクティブ型の非接触情報記憶装置に関し、特に、ＩＣカードリーダ／ライタ装置を介してＩＣカードに結合可能な省電力のアクティブ型のＲＦ  ＩＤを読み取るためのシステムに関する。
【背景技術】
【０００２】
バッテリ給電型すなわちアクティブ・タイプのＲＦ  ＩＤタグは、商品等に取り付けられまたは人によって携帯され、それら商品および人に関するＩＤおよび情報を含む所定の周波数のＲＦ信号を送信し、そのＲＦ信号はリーダ装置によって読み取られる。その読み取られた情報はコンピュータ等によってさらに処理され、商品の流通および人の行動を監視および管理できる。バッテリ給電によるアクティブ・タイプのＲＦ  ＩＤタグは、電力をリーダ／ライタ装置から非接触で受け取るパッシブ・タイプのＲＦ  ＩＤタグに比べて、通信可能距離が比較的長く、実用的である。しかし、アクティブ・タイプのＲＦ  ＩＤタグは、一定周期でＲＦ信号を送信するので、第三者によって追跡される危険性があり、セキュリティに問題がある。そのセキュリティ対策として、リーダ／ライタ装置からのタグＩＤの要求に対してのみ応答する改良型のアクティブＲＦ  ＩＤタグがある。
【０００３】
特表２０００−５０９５３６号公報には、高周波識別装置が記載されている。その高周波識別装置は、レシーバと、トランスミッタと、マイクロプロセッサとを備える集積回路を有する。レシーバとトランスミッタとは、共に、アクティブ・トランスポンダを構成する。その集積回路は、好ましくは、レシーバ、トランスミッタ及びマイクロプロセッサを含むモノリシックな単一ダイ集積回路である。その装置は、電力供給を磁気結合に依存するトランスポンダの代わりにアクティブ・トランスポンダを有するので、この装置は遥かに大きな有効範囲を有する。
【特許文献１】特表２０００−５０９５３６号公報
【０００４】
２０００年４月２１日付けで公開された特開２０００−１１３１３０号公報には、低消費電力のＩＣタグ検知システムが記載されている。そのシステムは、通信回路と制御部と、これらに電池から電力を供給する電源部と、計時手段と、を備え、所定の設定時刻ごとに送信を行うＩＣタグであって互いに設定時刻の異なるものを複数個備えるとともに、これらとの通信に基づいてそれぞれの有無を検知する検知機も備えていて、検知機が、通信回路を有し、その受信の有無をＩＣタグそれぞれの設定時刻ごとに逐次判別して検知を行う。検知機からの問い合わせが無いので、ＩＣタグは無駄な反応や電池消耗を回避できる。
【特許文献２】特開２０００−１１３１３０号公報
【０００５】
２００１年９月１４日付けで公開された特開２００１−２５１２１０号公報には、二重リンクにおいて、両ノードの送信機に、それぞれ独立した基準発振器を必要としない周波数ロックの実現方法が記載されている。全二重リンクにおいて、受信周波数の情報を利用して、送信機の搬送周波数を同調させることによって、リンクにおける両ノードの送信周波数を同時にロックする。第一の送信機の搬送周波数におけるオフセットは、対応する第二の受信機におけるオフセットとして検出される。第二の受信機は、検出したオフセットに応じて当該送信機の搬送周波数を偏移させ、第一の送信機に検出されたオフセットを知らせる。第一の受信機において検出されたオフセットによって、当該送信機の搬送周波数が補正される。
【特許文献３】特開２００１−２５１２１０号公報
【０００６】
平成１６年３月２５日付けで公開された特開２００４−９４４９９号公報には、ＩＣカードを装着した携帯端末において、ＩＣカード内のアプリケーションと携帯端末内のアプリケーションの連携を管理することができるアプリケーション連携管理システムが記載されている。ＩＣチップは、ＩＣカード部分のアプリケーション（ＡＰ）であるＩＣＡＰを記憶し、ＩＣＡＰに対応する管理サーバのアドレス情報と乱数を暗号化した動的データを携帯端末へ通知する。携帯端末は、携帯端末部分のＡＰである携帯ＡＰが起動されると、内部に記憶している携帯ＡＰに対応する管理サーバのアドレスと、ＩＣＡＰに対応する管理サーバのアドレスを比較し、一致している場合に管理サーバへ動的データを送信する。管理サーバは動的データを復号化して認証コードを生成する。ＩＣチップは管理サーバから受信した認証コードにより認証を行うと、ＩＣＡＰを活性化する。
【特許文献４】特開２００４−９４４９９号公報
【発明の開示】
【発明が解決しようとする課題】
【０００７】
リーダ／ライタ装置からのＩＤ要求に対してのみ応答する上述の改良型のアクティブＲＦ  ＩＤタグは、受信回路が必要であり、送信専用のアクティブＲＦ  ＩＤタグに比べて回路規模が大きく消費電力が大幅に増加する。ＩＣカードの情報を携帯端末で読み取ると、携帯端末の消費電力が大幅に増加する。
【０００８】
発明者たちは、ＩＣカードの情報を非接触で離れた情報処理装置に送信するために、ＩＣカード・リーダ／ライタ装置を短い時間期間だけイネーブルしてＩＣカード情報をＲＦ  ＩＤタグに取り込んでＲＦ  ＩＤタグから情報処理装置のリーダ／ライタ装置に送信し、その後ＩＣカード・リーダ／ライタ装置をディセーブルするよう構成すれば、ＲＦ  ＩＤタグの消費電力が大幅に減少してバッテリ稼動時間を長くすることができると認識した。
【０００９】
本発明の目的は、ＩＣカードの情報を取り込んで送信するアクティブ非接触情報記憶装置の消費電力を減少させることである。
【００１０】
本発明の別の目的は、ＩＣカードの情報を取り込んで送信するアクティブ非接触情報記憶装置の安全性を高くすることである。
【課題を解決するための手段】
【００１１】
本発明の特徴によれば、非接触情報記憶装置内の情報にアクセスするための情報アクセス・システムは、情報処理装置に接続されていて、ＩＤ要求を搬送するＲＦ信号を送信し、応答を搬送するＲＦ信号を受信するよう構成された非接触情報読取り書込み装置と、メモリと、バッテリと、そのＩＤ要求を搬送するＲＦ信号を受信する受信部と、そのＩＤ要求を搬送するＲＦ信号を受信したときに、その応答を搬送するＲＦ信号を送信する送信部と、その受信部およびその送信部を制御する制御部と、ＩＣカードの有無を検知する検知手段と、ＩＣカード読取り書込み手段と、を具えるアクティブ型非接触情報記憶装置と、を含んでおり、その検知手段はそのアクティブ型非接触情報記憶装置におけるそのＩＣカードの有無を検知し、その検知手段によってそのＩＣカードが有ることが検知されているとき、その制御部は、そのＩＣカード読取り書込み手段をイネーブルして、そのＩＣカード読取り書込み手段にＩＤ要求を供給し、そのＩＤ要求に応答してそのＩＣカード読取り書込み手段によって読み取られたそのＩＣカードのＩＤおよびデータを受け取り、その後そのＩＣカード読取り書込み手段をディセーブルし、その受信部がその非接触情報読取り書込み装置からそのＩＤ要求を搬送するＲＦ信号を受信したとき、その制御部は、そのＩＤ要求を搬送するＲＦ信号に応答して、その送信部を、そのＩＣカードのＩＤを含む応答を搬送するＲＦ信号を送信するよう動作させる。
【００１２】
また、本発明は、上述の情報アクセス・システムのアクティブ型非接触情報記憶装置に関する。
【発明の効果】
【００１３】
本発明によれば、ＩＣカードの情報を取り込んで送信するアクティブ非接触情報記憶装置の消費電力を減少させることができ、そのアクティブ非接触情報記憶装置の安全性を高くすることができる。
【発明を実施するための最良の形態】
【００１４】
本発明の実施形態を、図面を参照して説明する。図面において、同様の構成要素には同じ参照番号が付されている。
【００１５】
図１Ａは、従来の改良型のアクティブＲＦ  ＩＤタグを読み取るためのリーダ／ライタ装置（Ｒ／Ｗ）とＲＦ  ＩＤタグのタイムチャートを示している。リーダ／ライタ装置は、コマンド（ＣＭＤ）の送信とＲＦ  ＩＤからの受信を同じ周波数チャネルで時分割的に行う。リーダ／ライタ装置は、例えば２秒といった一定の周期で例えば１００ｍｓの持続時間でＩＤ要求コマンドを送信し、残りの時間は受信待ち状態となる。
【００１６】
１つのリーダ／ライタ装置によって複数のＲＦ  ＩＤタグに対応できるようにするために、各ＲＦ  ＩＤタグは、一般的には、リーダ／ライタ装置による１回のＩＤ要求に対して、衝突回避のためにリーダ／ライタ装置へ応答送信するタイミングをランダムにずらすように構成されている。各ＲＦ  ＩＤタグは、コマンド受信後の所定時間内のランダムに選択されたタイムスロットでリーダ／ライタ装置へ応答送信し、従って応答の衝突の確率が低減される。そのためにはリーダ／ライタ装置は受信待ちの持続時間を長くする必要がある。例えば、各ＲＦ  ＩＤタグからのランダムなタイミングにおける応答送信のための持続時間が０〜１．５秒程度の場合、リーダ／ライタ装置は１．５秒以上の受信待ち持続時間を確保する必要がある。従って、リーダ／ライタ装置の応答送信の周期が長くなる。ＲＦ  ＩＤタグは、リーダ／ライタ装置から送信された要求コマンドを検出するために、一定周期でキャリア・センスを行い、即ち受信ＲＦ信号の強度の検知を行い、キャリアを検知した時のみ受信処理および送信動作に移行するよう構成されている。リーダ／ライタ装置による送信の周期が２秒である場合、それを確実に検知するためには、キャリア・センス持続時間も少なくとも約２秒確保する必要がある。
【００１７】
通常、ＲＦ  ＩＤタグは、キャリア・センスから次のキャリア・センスまでの間の期間は、リーダ・ライタ装置の要求が未検出のときはパワーダウン・モードへ移行し、できるだけ消費電力を削減し、バッテリ稼動時間を長くする必要がある。しかし、キャリア・センス持続時間を少なくとも約２秒確保しようとすると、パワーダウン時間をほとんど確保できなくなり、消費電力の削減も困難である。
【００１８】
従って、図１ＡのアクティブＲＦ  ＩＤタグは、リーダ／ライタ装置からの長い周期の要求コマンドに対して応答する必要があるので、キャリア・センス持続時間が長くなり、消費電力が多くなり、バッテリ稼動時間も短くなる。
【００１９】
一方、接触型ＩＣカードまたは磁気結合による非接触型ＩＣカードは、対応するＩＣカード・リーダ／ライタ装置によって読み取るには、ＩＣカードをリーダ／ライタ装置に挿入するか数センチメートル内に近づけなければならず、不便である。そのようなＩＣカードを電磁波ＲＦ信号を介してＲＦ  ＩＤタグ・リーダ／ライタ装置によって読み取りことができれば便利である。そのためには、特開２００１−２５１２１０号公報（図２）に開示されているようにＩＣカードを携帯端末に挿入して携帯端末によってそのＩＤおよびデータをＲＦ信号でサーバに送信するように構成すればよい。
【００２０】
図１Ｂは、アクティブＲＦ  ＩＤタグそのものに格納されたＩＤおよび関連するデータをリーダ／ライタ装置に送信する代わりに、ＩＣカード６０に格納されたユーザのＩＤおよび関連するデータをリーダ／ライタ装置に送信する場合におけるアクティブＲＦ  ＩＤタグ２０の構成を示している。アクティブＲＦ  ＩＤタグ２０は、ＲＦ  ＩＤタグ用の外部リーダ／ライタ装置との間でＲＦ信号を送受信する通信部１９、外部リーダ／ライタ装置からのコマンドに応答してＩＤおよびデータを供給する制御部１０、ＩＣカード６０を挿入するためのスロット、およびＩＣカード・リーダ／ライタ装置を含む通信部１４を具えている。
【００２１】
図１Ｂにおいて、アクティブＲＦ  ＩＤタグ２０の制御部１０は、通信部１９を介して外部リーダ／ライタ装置からのＩＤ要求コマンドを受信し、それに応答して、通信部１９を介してＩＣカード６０のＩＤおよび関連するデータを取り込んで、通信部１９を介してそのＩＤおよびデータを含む応答信号を外部リーダ／ライタ装置に送信する。この場合、ＩＣカード６０を読み取るために通信部１４によって消費される電力は、典型的には通信部１９によって消費される電力より大きい。
【００２２】
図２は、さらに改良されたアクティブ型非接触情報記憶装置としてのアクティブＲＦ  ＩＤタグ２００とリーダ／ライタ装置３００の構成を示している。アクティブ型非接触情報記憶装置として、アクティブＲＦ  ＩＤタグ２００の代わりに、アクティブＲＦ  ＩＤタグ２００と同様の構成を有する非接触ＩＣカードを用いてもよい。
【００２３】
アクティブＲＦ  ＩＤタグ２００は、制御部２１０と、メモリ２１４と、メモリ２１４に格納されているタグＩＤ（ＩＤ＿ｔａｇ）等のデータを所定の符号化方式に従って符号化して符号化データを生成するデータ生成部２２０と、データ生成部２２０から受け取ったベースバンドの符号化データでキャリアを変調して、周波数ｆ2または相異なる周波数ｆ2i（ｎ＝１、２、．．．ｎ）のＲＦ信号を送信する送信部（ＴＸ）２３０と、周波数ｆ1のＲＦ信号を受信して復調してベースバンド符号化データを生成し、受信ＲＦ信号のキャリア強度を表すデータを生成する受信部（ＲＸ）２５０と、受信部２５０から受け取った符号化データを所定の符号化方式に従って復号して復号データを生成するデータ復号部２４０と、上述のキャリア強度を表すデータに基づいて受信ＲＦ信号のキャリアの有無を判定するキャリア判定部２４６と、予め設定された時間制御シーケンスでウェイクアップ信号を生成するウェイクアップ部２７０と、送信部２３０に結合された送信アンテナ（ＡＮＴ）２８２と、受信部２５０に結合された受信アンテナ（ＡＮＴ）２８４と、各構成要素２１０〜２７０に電力を供給するバッテリ２９０と、を具えている。周波数ｆ1およびｆ2は、例えばそれぞれ３００ＭＨｚおよび３０１ＭＨｚである。周波数ｆ2iは、例えば３０１ＭＨｚ、３０２ＭＨｚ、．．．．３０５ＭＨｚである。送信部（ＴＸ）２３０の送信出力は、例えば１００ｍＷである。代替構成として、アンテナ２８２と２８４は１つのアンテナであってもよい。
【００２４】
制御部２１０は、電源投入後は常に活動状態になっていて、メモリ２１４と、データ生成部２２０と、送信部２３０と、受信部２５０と、データ復号部２４０と、キャリア判定部２４６と、ウェイクアップ部２７０とに、それぞれメモリ制御信号ＣＴＲＬ＿Ｍ、データ生成制御信号ＣＴＲＬ＿ＥＮＣ、送信制御信号ＣＴＲＬ＿ＴＸ、受信制御信号ＣＴＲＬ＿ＲＸ、データ復号制御信号ＣＴＲＬ＿ＤＥＣ、キャリア判定制御信号ＣＴＲＬ＿ＣＳおよびウェイクアップ部制御信号を供給する。制御部２１０は、プログラムに従って動作するマイクロプロセッサまたはマイクロコンピュータであってもよい。
【００２５】
メモリ２１４は、ＲＦ  ＩＤタグ２００のタグＩＤ（ＩＤ＿ｔａｇ）、現在の時刻Ｔ、リーダ／ライタ装置３００によるアクセスの記録、ウェイクアップ部２７０の制御スケジュールおよび時間制御シーケンス、バッテリ２９０の現在の電力残量、等の情報を格納している。これらの情報は、制御部２１０の制御の下で格納され、更新される。制御部２１０は、定期的にまたは周期的にバッテリ２９０の供給電圧の値を検知することによってその現在の電力残量を判定して、バッテリ２９０の電力残量を表す情報をメモリ２１４に格納する。
【００２６】
ウェイクアップ部２７０は、時間を測定し時刻を生成するタイマ２７４を含み、ＲＦ  ＩＤタグ２００の電源投入後は常に活動状態になっていて、タイマ２７４の時刻およびメモリ２１４から読み出した予め設定された制御スケジュールおよび時間制御シーケンスに従って例えば２秒といった所定の周期でウェイクアップ信号（Wakeup）を制御部２１０に供給する。制御部２１０は、リーダ／ライタ装置３００から、制御スケジュールおよび時間制御シーケンスを修正または更新する命令と、現在の時刻Ｔと、制御スケジュールおよび時間制御シーケンスとを受信データとして受信したとき、メモリ２１４中の時刻Ｔ、制御スケジュールおよび時間制御シーケンスを修正し更新する。制御部２１０は、メモリ２１４中の時刻Ｔに基づいてタイマ２７４の時刻を修正し、タイマ２７４によって生成された現在の時刻Ｔをメモリ２１４に書き込み更新する。
【００２７】
データ生成部２２０は、メモリ２１４に格納されているタグＩＤ（ＩＤ＿ｔａｇ）等を含む所定のフォーマットのデータを生成して所定の符号化方式に従ってそれを符号化して送信部２３０に供給する。そのデータはバッテリ残量およびアクセス記録を含むことがある。データ復号部２４０は、受信した符号化データを所定の符号化方式に従って復号して復号データをデータ生成部２２０および制御部２１０に供給する。キャリア判定部２４６は、受信部２５０から受信ＲＦ信号キャリアの電力の強度を表すデータを受け取って受信キャリアの有無を判定してその判定結果を制御部２１０に供給する。
【００２８】
リーダ／ライタ装置３００は、ホスト・コンピュータ（図示せず）との間でデータを送受信する制御部３１０と、メモリ３１４と、制御部３１０から受け取ったコマンド（ＣＭＤ）等を含む所定のフォーマットのデータを生成して所定の符号化方式に従って符号化して符号化データを生成するデータ生成部３２０と、データ生成部３２０から受け取ったベースバンド符号化データでキャリアを変調して周波数ｆ1のＲＦ信号を送信する送信部（ＴＸ）３３０と、周波数ｆ2またはｆ21〜ｆ2nのＲＦ信号を受信するよう構成された受信部（ＲＸ）３５０と、受信部３５０から受け取った受信データを所定の符号化方式に従って復号してバースバンド符号化データを生成し、その生成した復号データを制御部３１０に供給するデータ復号部３４０と、時間を測定し時刻を生成するタイマ３７４と、送信部３３０に結合された送信アンテナ（ＡＮＴ）３８２と、受信部３５０に結合された受信アンテナ（ＡＮＴ）３８４と、を具えている。送信部（ＴＸ）３３０の送信出力は例えば１００ｍＷである。代替構成として、アンテナ３８２と３８４は１つのアンテナであってもよい。
【００２９】
制御部３１０は、ホスト・コンピュータからのタグＩＤ読み取り要求コマンド等のコマンドを受け取ったとき、そのようなコマンドを含むデータをデータ生成部３２０に供給する。そのデータは、ＲＦ  ＩＤタグ２００の使用すべき送信周波数ｆ2またはｆ2i、基準現在の時刻Ｔ、新しいまたは更新された制御スケジュールおよび時間制御シーケンス等を含んでいてもよい。そのようなコマンドには、現在の時刻Ｔとともにタイマ２７４の時刻を修正または更新するよう命令するコマンドが含まれていてもよい。そのようなコマンドには、新しいまたは更新された制御スケジュールまたは時間制御シーケンスとともにメモリ２１４に格納されているスケジュールまたはシーケンスを修正または更新するよう命令するコマンドが含まれていてもよい。
【００３０】
図３Ａは、リーダ／ライタ装置３００のコマンドを含むＲＦ信号の送信処理４２のタイミングを示している。図３Ｂは、リーダ／ライタ装置３００の受信待ち状態４６および受信ＲＦ信号の受信処理４８のタイミングを示している。図３Ｃは、アクティブＲＦ  ＩＤタグ２００のキャリア・センス５０および５２、受信ＲＦ信号の受信処理５４、および応答を含むＲＦ信号の送信処理５６のタイミングを示している。
【００３１】
図３Ａを参照すると、リーダ／ライタ装置３００のデータ生成部３２０は、制御部３１０から受け取ったＲＦ  ＩＤタグに対するタグＩＤ要求コマンドを含むデータを生成しそれを所定の符号化方式に従って符号化して、符号化データを生成する。送信部３３０は、送信処理４２の連続する各タイムスロットにおいて、そのコマンドを含むＲＦ信号を充分短い間隔で繰り返し送信する。
【００３２】
図３Ｃを参照すると、アクティブＲＦ  ＩＤタグ２００において、受信部２５０およびキャリア判定部２４６は、ウェイクアップ部２７４のウェイクアップ信号に従って例えば２秒といった一定の周期で例えば約１ｍｓ〜１０ｍｓの所定の持続時間で発生するキャリア・センス５０および５２のタイミングで制御部２１０によってイネーブル（活動化、enable）される。それによって、受信部２５０は受信待ち状態になり、キャリア判定部２４６は受信部２５０からの受信ＲＦ信号キャリア電力の強度を表すデータに従って受信キャリアの有無の判定を行う。ＲＦ  ＩＤタグ２００がリーダ／ライタ装置３００に接近していないときは、キャリア判定部２４６はキャリアを検知せず（ＮＤ）、キャリアが存在しないと判定する。キャリア・センス５０相互間の期間５１において、ＲＦ  ＩＤタグ２００は休止モードに入って、制御部２１０およびウェイクアップ部２７０だけがイネーブルまたはパワー・オン（付勢）されており、その他の構成要素２１４〜２５０はディセーブル（非活動化、disable）またはパワー・ダウン（消勢）されている。休止期間５１の時間長は、キャリア・センス期間５０の終了時点と次のキャリア・センス期間５０の開始時点との間の時間長より短くてもよい。
【００３３】
ＲＦ  ＩＤタグ２００がリーダ／ライタ装置３００に接近してＲＦ  ＩＤタグ２００の受信部２５０がＲＦ信号を受信したときに、キャリア・センス５２のタイミングでキャリア判定部２４６は、ＲＦ信号のキャリアを検知し（ＤＴ）、キャリアが存在すると判定する。そのキャリアが存在するという判定に応答して、受信部２５０およびデータ復号部２４０は直後の受信処理５４のタイミングで例えば１００ｍｓといった所定の持続時間においてイネーブルされ、受信部２５０はそのＲＦ信号を受信し復調してコマンドを含む符号化データを生成し、データ復号部２４０はそのデータを所定の符号化方式に従って復号しコマンドを取り出して制御部２１０に供給する。そのコマンドに応答して、制御部２１０は、所定期間内のランダムに選択された送信処理５６のタイミングで例えば１００ｍｓといった所定の持続時間において、データ生成部２２０および送信部２３０をイネーブルし、データ生成部２２０はメモリ２１４から取り出したタグＩＤ（ＩＤ＿ｔａｇ）を含むデータを生成して所定の符号化方式に従って符号化する。送信部２３０はそのタグＩＤを含む応答データでキャリアを変調してＲＦ信号を送信する。
【００３４】
図３Ｂを参照すると、リーダ／ライタ装置３００の受信部３５０は、常に受信待ち状態４６にあり、ＲＦ  ＩＤタグ２００が接近してＲＦ信号を受信したときに、受信処理４８のタイミングにおいて受信ＲＦ信号を復調して符号化データを生成し、データ復号部３５０は符号化データを所定の符号化方式に従って復号してタグＩＤを含む応答データを再生し、その再生されたタグＩＤを制御部３１０に供給する。制御部３１０は、そのタグＩＤをホスト・コンピュータに供給する。ホスト・コンピュータは、タグＩＤを処理して、商品の流通または人を監視し管理するのに用いる。
【００３５】
通常、リーダ／ライタ装置３００にＲＦ  ＩＤタグ２００が接近していない時間ははるかに長いので、アクティブＲＦ  ＩＤタグ２００は大部分の時間期間は休止モードになる。従って、アクティブＲＦ  ＩＤタグ２００の消費電力は大幅に低減され、バッテリ２９０の稼動時間は大幅に長くなる。
【００３６】
図４は、リーダ／ライタ装置３００によって実行される処理のフローチャートを示している。図５Ａおよび５Ｂは、アクティブＲＦ  ＩＤタグ２００によって実行される処理のフローチャートを示している。
【００３７】
図４を参照すると、ステップ４０２において、リーダ／ライタ装置３００の制御部３１０は、ホスト・コンピュータから受け取ったタグＩＤ要求があるかどうかを判定する。タグＩＤの要求があるまでステップ４０２は繰り返される。タグＩＤの要求があると判定された場合、手順は送信処理のステップ４１２および受信処理のステップ４２２に進む。
【００３８】
ステップ４１２において、制御部３１０はＩＤ要求コマンドおよび関連する情報をデータ生成部３２０に供給し、データ生成部３２０はＩＤ要求コマンドを含むデータを生成してその生成データを、例えばＮＲＺ（Non Return to Zero）符号化法またはマンチェスタ符号化法等の所定の符号化方式に従って符号化し、送信部３３０は、図３Ａの送信処理４２のタイミングでその符号化データでキャリアを変調して周波数ｆ1のＲＦ信号を送信する。制御部３１０は、ＩＤ要求コマンド中にそのＩＤ要求コマンドに対する応答の送信周波数ｆ2または可変送信周波数ｆ2iを指定するデータ、その可変送信周波数ｆ2iを使用すべき時刻またはタイムスロットを表すデータ、現在の時刻Ｔを表すデータ、制御スケジュールおよび時間制御シーケンスを含ませてもよい。
【００３９】
リーダ／ライタ装置３００はその周波数ｆ2iを時分割で送信タイムスロット毎に変更するようにしてもよい。それによって、複数のＲＦ  ＩＤタグが同時に存在する場合でも、ＲＦ  ＩＤタグからの応答送信が衝突する確率が減り、リーダ／ライタ装置３００で同時に識別できるＲＦ  ＩＤタグの数を増大させることができる。
【００４０】
ステップ４１８において制御部２１０はデータ送信を終了すべきかどうかを判定する。終了すると判定された場合は、手順はこのルーチンを出る。データ送信を継続すると判定された場合は、手順はステップ４１２に戻る。図３Ａでは、データ送信は繰り返し継続される。
【００４１】
図５Ａを参照すると、ステップ５０２において、ＲＦ  ＩＤタグ２００が起動されたとき、制御部２１０およびウェイクアップ部２７０がイネーブルされる。ＲＦ  ＩＤタグ２００がいったん起動されると、制御部２１０およびウェイクアップ部２７０は常にイネーブルされて活動状態にある。ウェイクアップ部２７０は、タイマ２７４および時間制御シーケンスに従って、所定の周期で受信ＲＦ信号のキャリア・センスを行うタイミングを表すウェイクアップ信号を制御部２１０に供給する。ステップ５０４において、制御部２１０は、ウェイクアップ部２７０から受け取ったウェイクアップ信号がオン状態（ＯＮ）を示しているかどうかを判定する。制御部２１０は、ウェイクアップ信号がオン状態になるまでステップ５０４を繰り返す。
【００４２】
ステップ５０４においてウェイクアップ信号がオン状態（ＯＮ）を示していると判定された場合、ステップ５０６において、制御部２１０は、例えば約１ｍｓ〜１０ｍｓのような短い持続時間の期間だけ受信部２５０およびキャリア判定部２４６をイネーブルする。受信部２５０はＲＦ信号の受信待ち状態となり、キャリア判定部２４６は受信部２５０から受け取った受信キャリア電力を表すデータに基づいて受信ＲＦ信号のキャリアの存在を判定して、その判定結果を制御部２１０に供給する。ステップ５０８において、制御部２１０は、その判定結果に従ってキャリアが検知されたかどうかを判定する。キャリアが検知されなかったと判定された場合は、ステップ５０９において制御部２１０は受信部２５０およびキャリア判定部２４６をディセーブル（非可動化）する。その後、手順はステップ５３０に進む。
【００４３】
ステップ５０８においてキャリアが検知されたと判定された場合は、ステップ５１０において、制御部２１０は、キャリア判定部２４６をディセーブルし、さらに例えば１００ｍｓ〜２００ｍｓといった所定の持続時間において受信部２５０をイネーブルしたまま、リーダ／ライタ装置３００からコマンドを含む周波数ｆ1のＲＦ信号を受信して（図３Ｃ、受信５４）、受信ＲＦ信号を復調する。ステップ５１２において、制御部２１０は、受信部２５０によるＲＦ信号の受信が完了したかどうかを判定する。ステップ５１２はＲＦ信号の受信が完了するまで繰り返される。
【００４４】
ステップ５１２においてＲＦ信号の受信が完了したと判定された場合は、ステップ５１４において、制御部２１０はデータ復号部２４０をイネーブルし、データ復号部２４０は制御部２１０の制御の下で受信部２５０から受信データを受け取ってそれを所定の符号化方式に従って復号する。ステップ５１５において、制御部２１０は受信部２５０をディセーブルする。
【００４５】
図５Ｂを参照すると、ステップ５２２において、制御部２１０は、データ復号部２４０からＩＤ要求コマンドを含む復号データを受け取り、復号データに含まれている受信コマンドを処理し、リーダ／ライタ装置３００によるアクセスの記録をメモリ２１４に格納する。受信データ中に時刻修正コマンドおよび現在の時刻Ｔが含まれていた場合は、制御部２１０は、ウェイクアップ部２７０のタイマ２７４の時刻をその時刻Ｔに修正または更新する。
【００４６】
ステップ５２４において、制御部２１０は復号部２４０をディセーブルし、そのＩＤ要求コマンドに従って、所定の期間（例えば５００ｍｓ）内の所定数のタイムスロット（例えば１００ｍｓの幅の５つのタイムスロット）の中の乱数に従って選択された１つのタイムスロットにおいてデータ生成部２２０および送信部２３０をイネーブルする。その選択されたタイムスロットが図３Ｃの送信処理５６のタイミングである。データ生成部２２０は、メモリ２１４から読み出したＲＦ  ＩＤタグ２００のタグＩＤ（ＩＤ＿ｔａｇ）を含むデータを所定の符号化方式に従って符号化して送信部２３０に供給する。送信部２３０は、タグＩＤを含むデータでキャリアを変調して、所定のまたは指定された周波数周波数ｆ2またはｆ2iのＲＦ信号をアンテナ２８４を介して送信する。
【００４７】
ステップ５２９において、制御部２１０は、データ生成部２２０および送信部２３０をディセーブルする。ステップ５３０において、制御部２１０は、ＲＦ  ＩＤタグ２００を休止モードにする。休止モードにおいて、基本的に制御部２１０およびウェイクアップ部２７０だけがイネーブルされた状態を維持し、その他の構成要素２１４〜２５０はディセーブルされた状態になる。
【００４８】
再び図４を参照すると、ステップ４２２において、制御部３１０は受信部３５０をイネーブルして受信待ち状態にする。受信部３５０は周波数ｆ2のＲＦ信号の受信を待って（受信待ち４６）、ＲＦ信号を受信する（受信処理４８）。ステップ４２４において、制御部３１０は受信部３５０がＲＦ信号の受信を完了したかどうかを判定する。受信が完了するまでステップ４２４は繰り返される。受信が完了したと判定された場合は、ステップ４２６において、受信部３５０は受信データをデータ復号部３４０に供給する。データ復号部３４０は受信データを所定の符号化方式に従って復号して応答データを再生し、データを受信したことおよびその応答データを制御部２１０およびデータ生成部２２０に供給する。
【００４９】
ステップ４３２において、制御部３１０はその復号データをホスト・コンピュータに送出する。ステップ４３６において制御部３１０はデータ受信待ちを終了するかどうかを判定する。終了すると判定された場合は、手順はこのルーチンを出る。データ送信を継続すると判定された場合は、手順はステップ４２２に戻る。図３Ｂでは、データ受信待ちは繰り返し継続される。
【００５０】
このように、リーダ／ライタ装置３００は送信を充分短い間隔で繰り返し行い常に受信待ち状態にあるので、ＲＦ  ＩＤタグ２００のキャリア・センス時間を大幅に減らすことができる。例えば入出管理などにおけるように１日に数回しか送受信を行わず、動作時間のほとんどがキャリア・センスである場合は、ＲＦ  ＩＤタグ２００全体の消費電力は、全体の消費電力を大幅に削減できる。
【００５１】
メモリ２１４に格納される制御スケジュールとして、休日および平日の夜間（例えば、６：００ｐｍ〜６：００ａｍ）の所定の時刻と所定の時刻の間の時間期間を指定し、平日の昼間（例えば、６：００ａｍ〜６：００ｐｍ）の所定の時刻と所定の時刻の間の時間期間を指定してもよい。この場合、ウェイクアップ部２７０は、その休日および夜間においてウェイクアップ信号を発生せず、従ってＲＦ  ＩＤタグ２００は休止モードになってキャリア・センスを全く行わず、一方、その平日の昼間において所定の周期（例えば１秒）で、キャリア・センスを行う。
【００５２】
ウェイクアップ部２７０は、制御部２１０の制御の下で、メモリ２１４に格納されたバッテリ２９０の電力の残量に従ってウェイクアップ信号を発生させてもよい。この場合、バッテリ残量が充分であるときは、比較的短い周期で（例えば１秒）キャリア・センスを行い、残量が閾値より低くなったときは、比較的長い周期で（例えば２秒）キャリア・センスを行うようにしてもよい。ＲＦ  ＩＤタグ２００の応答データ中にバッテリ残量を含ませ、リーダ／ライタ装置３００経由でホスト・コンピュータへ通知し、ホスト・コンピュータによってユーザに対するバッテリ切れの警告を表示するよう構成してもよい。
【００５３】
上述のようにリーダ／ライタ装置によるアクセスの記録をメモリ２１４に格納するようにしたことによって、リーダ／ライタ３００以外の別のリーダ／ライタによって不正にアクセスされた場合にも、ログが記録されるので、リーダ／ライタ３００によってそのアクセス記録を読み取り、ホスト・コンピュータによって解析することによって不正なアクセスを発見することができる。
【００５４】
図６は、図２の構成を変形したより安全なアクティブＲＦ  ＩＤタグ２０２とリーダ／ライタ装置３０２の構成を示している。ＲＦ  ＩＤタグ２０２とリーダ／ライタ装置３０２の間で送信データは暗号化され、受信データは暗号解読されて認証に用いられる。
【００５５】
ＲＦ  ＩＤタグ２０２は、図２のＲＦ  ＩＤタグ２００におけるデータ生成部２２０の代わりにデータ生成部２２２を具え、図２のデータ復号部２４０の代わりにデータ復号部２４２を具えている。ＲＦ  ＩＤタグ２０２のメモリ２１４は、タグＩＤ（ＩＤ＿ｔａｇ）に加えて、認証用の現在の時刻Ｔ、認証用のシステムＩＤ（ＩＤ＿ｓｙｓｔｅｍ）および暗号鍵／復号鍵Ｋｅを格納しており、データ生成部２２２およびデータ復号部２４２にそれらの情報を供給する。その認証用の現在の時刻Ｔ、認証用のシステムＩＤおよび暗号鍵／復号鍵Ｋｅは、リーダ／ライタ装置３０２によって予めＲＦ  ＩＤタグ２０２に送信され、制御部２１０によってメモリ２１４に予め書き込まれる。データ生成部２２２は、メモリ２１４に格納されている暗号鍵Ｋｅを用いて所定の暗号方式に従って送信データを暗号化する暗号化部２２４を含んでいる。データ復号部２４２は、受信データを所定の暗号方式に従って暗号鍵／復号鍵Ｋｅを用いて解読する解読部２４４を含んでいる。ＲＦ  ＩＤタグ２０２のその他の構成はＲＦ  ＩＤタグ２００と同様であり、再び説明することはしない。システムＩＤは、リーダ／ライタ装置３０２とＲＦ  ＩＤタグ２０２等の複数のＲＦ  ＩＤタグで構成される同じグループによって共有される共通のＩＤを表している。ここでは、所定の暗号方式を共通鍵暗号方式として説明するが、公開鍵暗号方式であってもよい。構成要素２２２、２３０、２４２、２５０および２４６は、リーダ／ライタ装置３０２との通信のための通信部１９０を構成する。
【００５６】
リーダ／ライタ装置３０２は、図２のリーダ／ライタ装置３００におけるデータ生成部３２０の代わりにデータ生成部３２２を具え、図２のデータ復号部３４０の代わりにデータ復号部３４２を具えている。リーダ／ライタ装置３０２のメモリ３１４は、認証用の現在の時刻Ｔ、認証用のシステムＩＤ（ＩＤ＿ｓｙｓｔｅｍ）および暗号鍵／復号鍵Ｋｅを格納している。データ生成部３２４は、メモリ３１４に格納されている所定の暗号方式に従って暗号鍵Ｋｅを用いて送信データを暗号化する暗号化部３２２を含んでいる。データ復号部３４２は、所定の暗号方式に従って暗号鍵／復号鍵Ｋｅを用いて受信データを解読する解読部３４４を含んでいる。リーダ／ライタ装置３０２のその他の構成はリーダ／ライタ装置３００と同様であり、再び説明することはしない。
【００５７】
図７Ａは、リーダ／ライタ装置３０２のＩＤ要求コマンド（ＣＭＤ）を含むＲＦ信号の送信処理４２のタイミングを示している。図７Ｂは、リーダ／ライタ装置３０２の受信待ち状態４６および受信ＲＦ信号の受信処理４８のタイミングを示している。図７Ｃは、アクティブＲＦ  ＩＤタグ２０２のキャリア・センス５０、５２および５３、受信ＲＦ信号の受信処理５４および５５、および認証成功の場合における応答を含むＲＦ信号の送信処理５６のタイミングを示している。
【００５８】
図７Ａを参照すると、リーダ／ライタ装置３００のデータ生成部３２０は、制御部３１０から受け取ったＲＦ  ＩＤタグに対するタグＩＤ要求コマンドを含むデータを生成しそれを所定の符号化方式に従って符号化して、符号化された暗号データを生成する。リーダ／ライタ装置３００のその他の送信の動作は図３Ａの場合と同様である。
【００５９】
図７Ｃを参照すると、アクティブＲＦ  ＩＤタグ２０２において、受信部２５０およびキャリア判定部２４６の動作は、図３Ｃの場合と同様であり、受信部２５０およびキャリア判定部２４６は、ウェイクアップ部２７４のウェイクアップ信号に従って一定の周期で所定の持続時間で発生するキャリア・センス５０、５２および５３のタイミングで制御部２１０によってイネーブルされて、受信部２５０は受信待ち受け状態になる。
【００６０】
キャリア判定部２４６によるキャリアが存在するという判定（ＤＴ）に応答して、受信部２５０およびデータ復号部２４２は直後の受信処理５４および５５のタイミングで所定の持続時間においてイネーブルされ、受信部２５０はそのＲＦ信号を受信し復調してコマンドを含む符号化された暗号データを生成し、データ復号部２４０はそのデータを所定の符号化方式に従って復号し暗号データを所定の暗号方式に従って暗号鍵／復号鍵Ｋｅを用いて解読してコマンドを取り出して制御部２１０に供給する。そのコマンドに応答して、制御部２１０は、そのコマンドに含まれている時刻ＴおよびシステムＩＤを用いてリーダ／ライタ装置３０２を認証する。
【００６１】
認証が成功した場合は、所定期間内のランダムに選択された送信処理５６のタイミングで所定の持続時間において、制御部２１０はデータ生成部２２２および送信部２３０をイネーブルし、データ生成部２２２は、メモリ２１４から取り出したタグＩＤ（ＩＤ＿ｔａｇ）、時刻ＴおよびシステムＩＤ（ＩＤ＿ｓｙｓｔｅｍ）を含むデータを、所定の暗号方式に従って暗号鍵Ｋｅを用いて暗号化し、その暗号データを所定の符号化方式に従って符号化する。送信部２３０はその暗号化されたタグＩＤを含む応答データでキャリアを変調してＲＦ信号を送信する。認証が失敗した場合は、データを生成および送信することなく処理を終了する。
【００６２】
図７Ｂを参照すると、リーダ／ライタ装置３０２の受信部３５０は、常に受信待ち状態４６にあり、ＲＦ  ＩＤタグ２０２が接近してＲＦ信号を受信したときに、受信処理４８のタイミングにおいて受信ＲＦ信号を復調して符号化された暗号データを生成し、データ復号部３５０は符号化された暗号データを所定の符号化方式に従って復号し、その復号された暗号データを、所定の暗号方式に従って暗号鍵／復号鍵Ｋｅを用いて解読してタグＩＤを含む応答データを再生し、その再生された応答を制御部３１０に供給する。その受信再生された応答に応答して、制御部３１０は、その応答に含まれている時刻ＴおよびシステムＩＤを用いてＲＦ  ＩＤタグ２０２を認証し、そのタグＩＤをホスト・コンピュータに供給する。代替構成として、制御部３１０は、その応答に含まれている時刻ＴおよびシステムＩＤをホスト・コンピュータに供給し、ホスト・コンピュータが時刻ＴおよびシステムＩＤを用いてＲＦ  ＩＤタグ２０２を認証してもよい。
【００６３】
このように、通常、リーダ／ライタ装置３０２およびＲＦ  ＩＤタグ２０２が送信データを暗号化し、時刻ＴおよびシステムＩＤを用いて相互認証を行うことによって、リーダ／ライタ装置３０２およびＲＦ  ＩＤタグ２０２によって送信されるデータが、第三者に傍受されても、そのデータを不正に使用される危険性が低くなる。従って、リーダ／ライタ装置３０２およびＲＦ  ＩＤタグ２０２の安全性が高くなる。
【００６４】
図８は、リーダ／ライタ装置３０２によって実行される処理のフローチャートを示している。図９Ａおよび９Ｂは、アクティブＲＦ  ＩＤタグ２０２によって実行される処理のフローチャートを示している。
【００６５】
図８を参照すると、ステップ４０２は図４のものと同じであり、再び説明することはしない。ステップ４１４において、制御部２１０はＩＤ要求コマンドをデータ生成部３２２に供給する。データ生成部３２２は、制御部３１０から受け取ったＩＤ要求コマンド、およびメモリ３１４から取り出した現在の時刻ＴおよびシステムＩＤ（ＩＤ＿ｓｙｓｔｅｍ）を含むデータを、例えばＤＥＳ（Data Description Standard）、トリプルＤＥＳまたはＡＥＳ（Advanced Encryption Standard）等の所定の暗号方式に従って、メモリ３１４から取り出した暗号鍵Ｋｅを用いて暗号化し、その暗号化データを符号化して符号化データを生成する。送信部３３２は、その暗号化データでキャリアを変調して周波数ｆ1のＲＦ信号を送信する（図７Ａ、送信処理４２）。ステップ４１８は図４と同じであり、再び説明することはしない。
【００６６】
図９Ａを参照すると、ステップ５０２〜５１５は図５のものと同様であり、再び説明することはしない。
【００６７】
図９Ｂを参照すると、ステップ５１６において、制御部２１０の制御の下で、メモリ２１４から取り出した暗号鍵／復号鍵Ｋｅを用いて復号データを所定の暗号方式に従って解読し、解読されたコマンド、タグＩＤ（ＩＤ＿ｔａｇ）、時刻Ｔ、システムＩＤ（ＩＤ＿ｓｙｓｔｅｍ）を含むデータを制御部２１０に供給する。そのデータは、制御スケジュールおよび時間制御シーケンスを含んでいてもよい。制御部２１０は、そのデータを受け取った後、暗号解読された時刻ＴおよびシステムＩＤとメモリ２１４に格納されている時刻ＴおよびシステムＩＤとを比較することによって、両者が一致するかどうかを判定し、それによってリーダ／ライタ装置３０２の認証を行う。
【００６８】
ステップ５１８において、制御部２１０は認証が成功したかどうかを判定する。認証が失敗したと判定された場合は、ステップ５２０において、制御部２１０はデータ復号部２４２をディセーブルする。その後、手順は図９Ｂのステップ５３０に進む。
【００６９】
ステップ５１８において認証が成功したと判定された場合は、ステップ５２２において、制御部２１０は、データ復号部２４０からＩＤ要求コマンドを含む暗号解読されたデータを受け取り、その解読データに含まれている解読された受信コマンドを処理し、リーダ／ライタ装置３００によるアクセス記録をメモリ２１４に格納する。
【００７０】
ステップ５２６において、制御部２１０は、そのＩＤ要求コマンドに従って、所定の期間内の所定数のタイムスロットの中の乱数に従ってランダムに選択された１つのタイムスロットにおいてデータ生成部２２２および送信部２３０をイネーブルする。その選択されたタイムスロットが図７Ｃの送信処理５６のタイミングである。データ生成部２２２は、メモリ２１４から読み出したＲＦ  ＩＤタグ２０２のタグＩＤ（ＩＤ＿ｔａｇ）、時刻ＴおよびシステムＩＤ（ＩＤ＿ｓｙｓｔｅｍ）を含むデータを、所定の暗号方式に従って暗号鍵Ｋｅを用いて暗号化し、その暗号データを所定の符号化方式に従って符号化して送信部２３０に供給する。送信部２３０は、その符号化暗号データでキャリアを変調して、周波数ｆ2のＲＦ信号をアンテナ２８４を介して送信する（図７Ｃ、送信５６）。ステップ５２８および５３０は、図５のものと同様であり、再び説明することはしない。
【００７１】
再び図８を参照すると、ステップ４２２〜４２４は図４のものと同様であり、再び説明することはしない。ステップ４２８において、受信部３５０は受信データをデータ復号部３４２に供給する。データ復号部３４２は受信データを所定の符号化方式に従って復号し、その復号データを所定の暗号方式に従って暗号解読して、そのデータを受信したことおよびその解読データを制御部２１０およびデータ生成部２２２に供給する。制御部３１０は、暗号解読された時刻ＴおよびシステムＩＤとメモリ３１４に格納されている時刻ＴおよびシステムＩＤとを比較することによって、一致するかどうかを判定し、それによってＲＦ  ＩＤタグ２０２の認証を行う。ＲＦ  ＩＤタグ２０２の制御部２１０およびリーダ／ライタ装置３０２の制御部３１０において、受信した時刻Ｔと格納されていた時刻Ｔとの間に所定の範囲内の誤差（例えば±０．５秒）があった場合にも、両者は一致すると判定してもよい。
【００７２】
ステップ４３０において、制御部３１０は認証が成功したかどうかを判定する。認証が失敗したと判定された場合は、手順はステップ４２２に戻る。認証が成功したと判定された場合は、手順はステップ４３２に進む。ステップ４３６は、図４のものと同様であり、再び説明することはしない。
【００７３】
図１０Ａおよび１０Ｂは、上述の改良されたアクティブＲＦ  ＩＤタグ２０２とリーダ／ライタ装置３０２で構成される情報アクセス・システムを利用した、本発明の実施形態による、カード・スロット２０６を具えるＩＣカード・ホルダの形態のアクティブＲＦ  ＩＤタグ２０４を示している。ＩＣカード６２０はカード・スロット２０６に挿入される。アクティブＲＦ  ＩＤタグ２０４は、ＩＣカード・ホルダを有する携帯電話機に組み込まれていてもよい。
【００７４】
図１１は、ＩＣカード・ホルダの形態のアクティブＲＦ  ＩＤタグ２０４の概略的構成を示している。ＲＦ  ＩＤタグ２０４は、さらに、カード・スロット２０６内のＩＣカード６２０の有無を接触または非接触で検知するカード・センサ６０６と、ＩＣカード６２０に対して情報の読み取り書き込みを行うＩＣカード・リーダ／ライタ機能を有する通信部６０２と、バッテリ２９０からの供給電力の通信部６０２への供給をオン・オフするための電源スイッチＳＷと、電源スイッチＳＷを制御するスイッチ制御部６０４と、制御部２１０と、メモリ２１４と、通信部１９０と、バッテリ２９０と、アンテナ２８２および２８４と、を具えている。通信部１９０は、図６における構成要素２２２、２３０、２４２、２５０および２４６を含んでいる。ＲＦ  ＩＤタグ２０４における破線で囲まれた構成要素は図６のＲＦ  ＩＤタグ２０２と同じ要素である。代替構成として、スイッチ制御部６０４は制御部２１０の一部として構成してもよい。
【００７５】
ＩＣカード６２０がカード・スロット２０６に挿入されていない場合は、制御部２１０およびウェイクアップ部２７０だけがイネーブルされており、制御部２１０によって通信部１９０およびメモリ２１４はディセーブルされている。
【００７６】
図１２は、ＲＦ  ＩＤタグ２０４およびリーダ／ライタ装置３０２の動作の手順を示している。ＩＣカード６２０がカード・スロット２０６に挿入されたとき、カード・センサ６０６がそれを検知する。カード・センサ６０６は、ＩＣカード６２０の存在を表す検知信号Ｐ／Ａをスイッチ制御部６０４に供給する。スイッチ制御部６０４は、その検知信号Ｐ／Ａに応答して、ステップ７０２において通信部６０２の電源スイッチＳＷをターンオンし、ステップ７０４において制御部２１０にＩＣカード６２０の検知を表す検知信号ＤＰ／Ａを供給する。
【００７７】
制御部２１０は、検知信号ＤＰ／Ａに応答して、ステップ７２８においてＩＣカード６２０のカードＩＤ要求コマンドを通信部６０２に与える。通信部６０２は、それに応答してステップ７３０においてＩＣカード６２０にカードＩＤ要求コマンドを与える。ＩＣカード６２０は、ステップ７３２において、そのコマンドを通常の形態で認証して、認証に成功した場合は、ステップ７３４においてＩＣカード６２０のＩＤおよび関連するデータを通信部６０２に供給する。ＩＣカード６２０のＩＤおよび関連するデータは公開鍵暗号方式または共通鍵暗号方式で暗号化されていてもよい。データ通信部６０２は、ステップ７３６においてＩＣカード６２０のＩＤおよび関連するデータを制御部２１０に供給する。ステップ７３８において、制御部２１０は、ＩＣカード６２０のＩＤを通常の形態で認証し、認証に成功した場合は、メモリ２１４をイネーブルしてＩＣカード６２０のＩＤおよび関連するデータをメモリ２１４に保存する。ＩＣカード６２０のＩＤおよび関連するデータが暗号化されている場合は、暗号化されたＩＤおよび関連するデータをメモリ２１４に保存してもよいし、またはそれを制御部２１０によって暗号解読して暗号解読された平文のＩＤおよび関連するデータをメモリ２１４に保存してもよい。このとき、制御部２１０はウェイクアップ部２７０のタイマ２７４にＩＣカードのＩＤの有効時間（例えば、６時間）を設定してもよい。
【００７８】
制御部２１０は、ステップ７４２においてスイッチ制御部６０４に電源スイッチＳＷをターンオフするよう命令する制御信号ＣＴＲＬを供給する。スイッチ制御部６０４は、その制御信号ＣＴＲＬに応答して電源スイッチＳＷをターンオフする。その後は、図６のＲＦ  ＩＤタグ２０２と同様の形態で動作する。この場合、タグＩＤ（ＩＤ＿ｔａｇ）として、メモリ２１４に保存されたＩＣカードのＩＤおよび関連するデータが用いられる。従って、通信部６０２は、ＩＣカード３２０の挿入からＩＤおよび関連するデータを保存するまでの期間７２０においてのみ動作し、通信部６０２による消費電力が節減できる。
【００７９】
より具体的に説明すると、ＩＣカード６２０が挿入されたＲＦ  ＩＤタグ２０４が、それを携帯するユーザの移動によって外部のリーダ／ライタ３０２の通信可能範囲内に来たものとする。リーダ／ライタ３０２は、ステップ７７６においてホスト・コンピュータ３０１からのタグＩＤ要求コマンドを受け取り、ステップ５４ａにおいてタグＩＤ要求コマンドを含むデータを所定の暗号方式に従って暗号化してその暗号化データを所定の符号化方式に従って符号化し、その符号化された暗号データでキャリアを変調して周波数ｆ1のＲＦ信号を充分短い間隔で繰り返し送信する（４２）。
【００８０】
ＲＦ  ＩＤタグ２０４の通信部１９０（受信部２５０、キャリア判定部２４６）は、上述したようにキャリア・センス５２を行い、通信部１９０（受信部２５０）はステップ５４ａにおいてリーダ／ライタ３０２からタグＩＤ要求コマンドを含む符号化された暗号データを搬送する周波数ｆ1のＲＦ信号を受信し、通信部１９０（データ復号部２４２）は、ステップ７４６において上述したように受信データを復号し暗号解読し、制御部２１０はそのコマンドを含む暗号解読された平文データの認証を行い、認証に成功した場合は、通信部１９０（データ生成部２２０、送信部２５０）は、ステップ５６ａにおいてＩＤおよび関連するデータを含む応答データを所定の暗号方式で暗号化し所定の符号化方式で符号化し、その応答データを搬送する周波数ｆ2またはｆ2iのＲＦ信号をリーダ／ライタ３０２に送信する。即ち、ＲＦ  ＩＤタグ２０４は、図７Ｃに示されているようにキャリア・センス５０および５２、受信ＲＦ信号の受信処理５４、および応答を搬送するＲＦ信号の送信処理５６を同様に行う。
【００８１】
リーダ／ライタ３０２は、ステップ７７８において、上述したように応答データを復号し暗号解読して平文のＩＤおよび関連するデータを認証する。認証に成功した場合は、ステップ７８０において、リーダ／ライタ３０２は受信したＩＤおよび関連するデータをホスト・コンピュータ３０１に供給する。代替構成として、その認証はホスト・コンピュータ３０１によって行ってもよい。ホスト・コンピュータ３０１は、ＩＣカード６２０の受け取ったＩＤおよび関連するデータが暗号化されている場合は、それを暗号解読する。
【００８２】
ＲＦ  ＩＤタグ２０４がリーダ／ライタ３０２の通信可能範囲内にある期間６０において、ステップ７７６〜７８０が繰り返される。期間６０の前後においてＲＦ  ＩＤタグ２０４がリーダ／ライタ３０２の通信可能範囲外にあるときは、リーダ／ライタ３０２は、ステップ７６２においてホスト・コンピュータ３０１から受け取ったタグＩＤ要求コマンドに応答してステップ４２ｓにおいて送信処理を行う。ＲＦ  ＩＤタグ２０４からの応答の受信がないとき、リーダ／ライタ３０２は、ステップ７６６において未検出信号をホスト・コンピュータ３０１に供給する。
【００８３】
その後、カード・スロット２０６からＩＣカード６２０が抜き出されたとき、カード・センサ６０６がそれを検知する。カード・センサ６０６は、ＩＣカード６２０の不存在を表す検知信号Ｐ／Ａをスイッチ制御部６０４に供給する。スイッチ制御部６０４は、その検知信号Ｐ／Ａに応答して、ステップ７５２において制御部２１０にＩＣカード６２０の不検知を表す検知信号ＤＰ／Ａを供給する。ステップ７５４において、制御部７５４はメモリ２１４の保存されていたＩＣカード６２０のＩＤおよび関連するデータを削除する。また、制御部２１０は、ステップ７３８におけるメモリ２１４への保存の後でウェイクアップ部２７０のタイマ２７４に設定した有効時間（例えば、６時間）が経過したときにも、ウェイクアップ部２７０からの有効時間の経過を表す信号に応答して、メモリ２１４の保存されていたＩＣカード６２０のＩＤおよび関連するデータを削除してもよい。それによって、ＩＣカード６２０のＩＤおよび関連するデータのセキュリティが確保される。
【００８４】
図１３は、ＲＦ  ＩＤタグ２０４およびリーダ／ライタ装置３０２の動作の別の手順を示している。この場合、リーダ／ライタ装置３０２は、第１の送信モードでは、上述のように、アクティブＲＦ  ＩＤタグ２０４に対するタグＩＤ要求コマンドを含むデータを所定の暗号化方式に従って暗号化し、その暗号化データを所定の符号化方式に従って符号化して、符号化された暗号データを生成し、その符号化された暗号データでキャリアを変調して周波数ｆ1のＲＦ信号を送信し、さらに、リーダ／ライタ装置３０２は、第２の送信モードでは、ホスト・コンピュータ３０１の要求に従ってＩＣカード６２０のＩＤおよび関連するデータを受信するために、ＩＣカード６２０に対するカードＩＤ要求コマンドを含むデータを所定の暗号化方式に従って暗号化し、その暗号化データを所定の符号化方式に従って符号化して、符号化された暗号データを生成し、その符号化された暗号データでキャリアを変調して周波数ｆ1のＲＦ信号を送信する。
【００８５】
図１４Ａは、リーダ／ライタ装置３０２のＩＤ要求コマンド（ＣＭＤ）を搬送するＲＦ信号の送信処理４２および４２ａのタイミングを示している。図１４Ｂは、リーダ／ライタ装置３０２の受信待ち状態４６および受信ＲＦ信号の受信処理４８のタイミングを示している。図１４Ｃは、図１３に対応する、アクティブＲＦ  ＩＤタグ２０４のキャリア・センス５０および５２、受信ＲＦ信号の受信処理５４および５４ａ、および認証成功の場合における応答を搬送するＲＦ信号の送信処理５６および５６ａのタイミングを示している。
【００８６】
図１３および１４Ａ〜１４Ｃを参照すると、ＩＣカード６２０がカード・スロット２０６に挿入されたとき、カード・センサ６０６がそれを検知する。カード・センサ６０６は、ＩＣカード６２０の存在を表す検知信号Ｐ／Ａをスイッチ制御部６０４に供給する。この場合、スイッチ制御部６０４は、通信部６０２の電源スイッチＳＷをターンオンすることなく、ステップ７０４において制御部２１０にその検知を表す検知信号ＤＰ／Ａを供給する。制御部２１０は、メモリ２１４をイネーブルしてその検知信号ＤＰ／Ａの発生を表すデータを保存してもよい。
【００８７】
リーダ／ライタ３０２は、ステップ７６２においてログオフ状態にあるホスト・コンピュータ３０１からタグＩＤ要求ホスト・コンピュータ３０１からのコマンドを受け取り、受け取ったコマンドに応答してステップ４２ｓにおいて上述のように送信処理を行う。
【００８８】
ＩＣカード６２０が挿入されたＲＦ  ＩＤタグ２０４が、それを携帯するユーザの移動によって外部のリーダ／ライタ３０２の通信可能範囲内に位置に来たものとする。リーダ／ライタ３０２は、ステップ７６８においてホスト・コンピュータ３０１からのタグＩＤ要求コマンドを受け取る。リーダ／ライタ装置３０２は、上述のように、アクティブＲＦ  ＩＤタグ２０４に対するタグＩＤ要求コマンドを含むデータを所定の暗号化方式に従って暗号化し、その暗号化データを所定の符号化方式に従って符号化して、符号化された暗号データを生成し、その符号化された暗号データでキャリアを変調して周波数ｆ1のＲＦ信号を送信する。
【００８９】
ＲＦ  ＩＤタグ２０４は、上述のように周期的にキャリア・センス５２を行い、ステップ５４ｓにおいてリーダ／ライタ３０２からタグＩＤ要求コマンドを含む符号化された暗号データを搬送するＲＦ信号を受け取り、制御部２１０はステップ７１０においてそのコマンドの認証を行う。認証に成功した場合は、通信部１９０は、ステップ５６においてメモリ２１４に格納されているＲＦ  ＩＤタグ２０４のＩＤおよび関連するデータを含む応答データを所定の暗号化方式に従って暗号化し、その暗号データを所定の符号化方式に従って符号化して、符号化された暗号データを生成し、その符号化された暗号データでキャリアを変調して周波数ｆ2またはｆ2iのＲＦ信号を送信する。即ち、ＲＦ  ＩＤタグ２０４は、図１４Ｃに示されているようにキャリア・センス５２、受信ＲＦ信号の受信処理５４、および応答を搬送するＲＦ信号の送信処理５６を行う。
【００９０】
リーダ／ライタ３０２は、ステップ７７２において、リーダ／ライタ３０２は受信したＩＤおよび関連するデータを復号し暗号解読して、暗号解読されたＩＤおよび関連するデータをホスト・コンピュータ３０１に供給する。ホスト・コンピュータ３０１は、ステップ７７４においてそのＩＤおよび関連するデータを認証する。代替構成として、その認証はリーダ／ライタ３０２によって行ってもよい。その認証に成功した場合は、ホスト・コンピュータ３０１は、ステップ７７６においてＩＣカード６２０に対するカードＩＤ要求コマンドをリーダ／ライタ３０２に与える。
【００９１】
ステップ７７６において、リーダ／ライタ３０２は、ホスト・コンピュータ３０１からのカードＩＤ要求コマンドを受け取る。リーダ／ライタ３０２は、ステップ５４ａにおいて、上述のように、ホスト・コンピュータ３０１からのカードＩＤ要求コマンドを含むデータを所定の暗号化方式に従って暗号化し、その暗号化データを所定の符号化方式に従って符号化して、符号化された暗号データを生成し、その符号化された暗号データでキャリアを変調して周波数ｆ1のＲＦ信号を充分短い間隔で繰り返し送信する（４２ａ）。
【００９２】
ＲＦ  ＩＤタグ２０４は、周期的にキャリア・センス５２を行い、ステップ５４ａにおいてリーダ／ライタ３０２からカードＩＤ要求コマンド含む符号化された暗号データを搬送するＲＦ信号を受け取り、制御部２１０はステップ７１２においてそのコマンドの認証を行う。認証に成功した場合は、制御部２１０は、ステップ７０３において、スイッチ制御部６０４からの検知信号ＤＰ／Ａ、またはメモリ２１４に保存されている検知信号ＤＰ／Ａの発生を表すデータの存在を確認して、スイッチ制御部６０４に電源スイッチＳＷをターンオンするよう命令する制御信号ＣＴＲＬを供給する。スイッチ制御部６０４は、その制御信号ＣＴＲＬに応答して電源スイッチＳＷをターンオンする。代替構成として、制御部２１０は、スイッチ制御部６０４からの検知信号ＤＰ／Ａ、またはメモリ２１４に保存されている検知信号ＤＰ／Ａの発生を表すデータの存在を確認することなく、スイッチ制御部６０４に電源スイッチＳＷをターンオンするよう命令する制御信号ＣＴＲＬを供給し、スイッチ制御部６０４は、カード・センサ６０６がＩＣカード６２０の存在を表す検知信号Ｐ／Ａを発生している場合にだけ、その制御信号ＣＴＲＬに応答して電源スイッチＳＷをターンオンしてもよい。
【００９３】
ステップ７２８〜７４２は、図１２の場合と同様であり、再び説明することはしない。ステップ５６ａにおいて、ＲＦ  ＩＤタグ２０４の通信部１９０は、ＩＣカード６２０のＩＤおよび関連するデータを含む応答データを所定の暗号化方式に従って暗号化し、その暗号データを所定の符号化方式に従って符号化して、符号化された暗号データを生成し、その符号化された暗号データでキャリアを変調して周波数ｆ2またはｆ2iのＲＦ信号を送信する。ステップ７８０においてリーダ／ライタ３０２からホスト・コンピュータ３０１にＩＤおよび関連するデータが供給された後、ホスト・コンピュータ３０１は、ステップ７８２において、ＩＣカード６２０のＩＤおよび関連するデータの認証を行い、認証に成功した場合はログイン状態になる。その際、ホスト・コンピュータ３０１は、ＩＣカード６２０の受け取ったＩＤおよび関連するデータが暗号化されている場合は、それを暗号解読する。その認証に成功した場合またはタイムアウトが生じた場合は、リーダ／ライタ３０２は、ステップ７８８において、再び、タグＩＤ要求コマンドを搬送するＲＦ信号を充分短い間隔で繰り返し送信する（４２）。
【００９４】
その後、リーダ／ライタ３０２は、ステップ７８８においてホスト・コンピュータ３０１からのタグＩＤ要求コマンドを受け取る。ＲＦ  ＩＤタグ２０４は、キャリア・センス５２を行い、ステップ５４ｓにおいてリーダ／ライタ３０２からタグＩＤ要求コマンドを搬送するＲＦ信号を受け取り、制御部２１０は、ステップ７１０の場合と同様にステップ７４６においてそのコマンドの認証を行い、認証に成功した場合は、通信部１９０はステップ５６においてメモリ２１４に格納されているＲＦ  ＩＤタグ２０４のＩＤおよび関連するデータを含む応答を搬送するＲＦ信号をリーダ／ライタ３０２に送信する。リーダ／ライタ３０２は、ステップ７７２の場合と同様にステップ７９２において、リーダ／ライタ３０２は受信したＩＤおよび関連するデータをホスト・コンピュータ３０１に供給する。ホスト・コンピュータ３０１は、ステップ７７４の場合と同様にステップ７９４においてＩＤおよび関連するデータを認証する。認証に成功した場合は、ホスト・コンピュータ３０１はログイン状態を維持する。ＲＦ  ＩＤタグ２０４がリーダ／ライタ３０２の通信可能範囲内にある期間６０において、ステップ７８８〜７９４が繰り返される。
【００９５】
制御部２１０は、図１２の場合と同様の形態で、メモリ２１４に保存されていたＩＣカード６２０のＩＤおよび関連するデータを削除する。
【００９６】
期間６０の前後においてＲＦ  ＩＤタグ２０４がリーダ／ライタ３０２の通信可能範囲外にあるときは、リーダ／ライタ３０２は、ステップ７６２においてホスト・コンピュータ３０１から受け取ったタグＩＤ要求コマンドに応答してステップ４２ｓにおいて送信処理を行う。ステップ７６６においてＩＤおよび関連するデータを含む応答を受け取らなかった場合、また認証に失敗したときには、ホスト・コンピュータ３０１はログオフを維持し、またはログオフ状態に移行する。
【００９７】
実施形態では、暗号化方式を用いた図６のＲＦ  ＩＤタグ２０２およびリーダ／ライタ３０２に関連して説明したが、本発明は、暗号化方式を用いない図２のＲＦ  ＩＤタグ２００およびリーダ／ライタ３００にも適用可能であることは明らかである。
【００９８】
本発明は、例えば、オフィスにおけるユーザに対するＲＦ  ＩＤを用いたパーソナル・コンピュータのセキュリティ管理、学校におけるＲＦ  ＩＤを用いた生徒の登下校管理、展示場におけるＲＦ  ＩＤを用いた来場者に対する情報支援システム、物流管理システムおけるＲＦ  ＩＤを用いた物品の管理、等に適用できる。本発明は、例えば、オフィスにおいて、ＩＣカードの社員証をカード・ホルダ型のＲＦ  ＩＤタグに挿入してタグ・リーダ／ライタ装置を含むパーソナル・コンピュータによって自動的に認証を行ってパーソナル・コンピュータにログインし、パーソナル・コンピュータから離れたときに自動的にログアウトする場合に適用できる。
【００９９】
以上説明した実施形態は典型例として挙げたに過ぎず、その各実施形態の構成要素を組み合わせること、その変形およびバリエーションは当業者にとって明らかであり、当業者であれば本発明の原理および請求の範囲に記載した発明の範囲を逸脱することなく上述の実施形態の種々の変形を行えることは明らかである。
【０１００】
以上の実施例を含む実施形態に関して、さらに以下の付記を開示する。
（付記１）  情報処理装置に接続されていて、ＩＤ要求を搬送するＲＦ信号を送信し、応答を搬送するＲＦ信号を受信するよう構成された非接触情報読取り書込み装置と、
メモリと、バッテリと、前記ＩＤ要求を搬送するＲＦ信号を受信する受信部と、前記ＩＤ要求を搬送するＲＦ信号を受信したときに、前記応答を搬送するＲＦ信号を送信する送信部と、前記受信部および前記送信部を制御する制御部と、ＩＣカードの有無を検知する検知手段と、ＩＣカード読取り書込み手段と、を具えるアクティブ型非接触情報記憶装置と、
を含む、非接触情報記憶装置内の情報にアクセスするための情報アクセス・システムであって、
前記検知手段は前記アクティブ型非接触情報記憶装置における前記ＩＣカードの有無を検知し、
前記検知手段によって前記ＩＣカードが有ることが検知されているとき、前記制御部は、前記ＩＣカード読取り書込み手段をイネーブルして、前記ＩＣカード読取り書込み手段にＩＤ要求を供給し、前記ＩＤ要求に応答して前記ＩＣカード読取り書込み手段によって読み取られた前記ＩＣカードのＩＤおよびデータを受け取り、その後前記ＩＣカード読取り書込み手段をディセーブルし、
前記受信部が前記非接触情報読取り書込み装置から前記ＩＤ要求を搬送するＲＦ信号を受信したとき、前記制御部は、前記ＩＤ要求を搬送するＲＦ信号に応答して、前記送信部を、前記ＩＣカードのＩＤを含む応答を搬送するＲＦ信号を送信するよう動作させることを特徴とする、情報アクセス・システム。
（付記２）  前記制御部は、前記非接触情報読取り書込み装置から受信した前記ＩＤ要求の認証を行い、前記ＩＤ要求の前記認証に成功したとき、前記送信部を、前記ＩＣカードのＩＤを含む応答を搬送するＲＦ信号を送信するよう動作させ、
前記情報処理装置または前記非接触情報読取り書込み装置は、前記アクティブ型非接触情報記憶装置から受信した前記ＩＣカードのＩＤの認証を行うものであることを特徴とする、付記１に記載の情報アクセス・システム。
（付記３）  前記制御部は、前記非接触情報読取り書込み装置から受信した前記ＩＤ要求の認証を行い、前記ＩＤ要求の前記認証に成功したとき、前記送信部を、前記ＩＣカードのＩＤを含む応答を搬送するＲＦ信号を送信するよう動作させ、
前記情報処理装置または前記非接触情報読取り書込み装置は、前記アクティブ型非接触情報記憶装置から受信した前記ＩＣカードのＩＤの認証を行い、前記ＩＣカードのＩＤの前記認証に成功したとき、前記情報処理装置はログイン状態になり、
その後、前記受信部が前記非接触情報読取り書込み装置から別のＩＤ要求を搬送するＲＦ信号を受信したとき、前記非接触情報読取り書込み装置から受信した前記別のＩＤ要求の認証を行い、前記別のＩＤ要求の前記認証に成功したとき、前記制御部は、前記別のＩＤ要求を搬送するＲＦ信号に応答して、前記送信部を、前記メモリに格納されている前記アクティブ型非接触情報記憶装置のＩＤを含む応答を搬送するＲＦ信号を送信するよう動作させ、
前記情報処理装置または前記非接触情報読取り書込み装置は、前記アクティブ型非接触情報記憶装置から受信した前記アクティブ型非接触情報記憶装置のＩＤの認証を行い、前記アクティブ型非接触情報記憶装置のＩＤの前記認証に成功したとき、前記情報処理装置が現在ログイン状態であれば前記情報処理装置はログイン状態を維持し、
前記情報処理装置は、前記別のＩＤ要求に応答して前記アクティブ型非接触情報記憶装置から前記アクティブ型非接触情報記憶装置のＩＤを受信しないとき、ログオフ状態になるものであることを特徴とする、付記１に記載の情報アクセス・システム。
（付記４）  メモリと、
バッテリと、
ＩＤ要求を搬送するＲＦ信号を受信する受信部と、
前記ＩＤ要求を搬送するＲＦ信号を受信したときに、応答を搬送するＲＦ信号を送信する送信部と、
前記受信部および前記送信部を制御する制御部と、
ＩＣカードの有無を検知する検知手段と、
ＩＣカード読取り書込み手段と、
を具えるアクティブ型非接触情報記憶装置であって、
前記検知手段は前記アクティブ型非接触情報記憶装置における前記ＩＣカードの有無を検知し、
前記検知手段によって前記ＩＣカードが有ることが検知されているとき、前記制御部は、前記ＩＣカード読取り書込み手段をイネーブルして、前記ＩＣカード読取り書込み手段にＩＤ要求を供給し、前記ＩＤ要求に応答して前記ＩＣカード読取り書込み手段によって読み取られた前記ＩＣカードのＩＤおよびデータを受け取り、その後前記ＩＣカード読取り書込み手段をディセーブルし、
前記受信部が前記非接触情報読取り書込み装置から前記ＩＤ要求を搬送するＲＦ信号を受信したとき、前記制御部は、前記ＩＤ要求を搬送するＲＦ信号に応答して、前記送信部を、前記ＩＣカードのＩＤを含む応答を搬送するＲＦ信号を送信するよう動作させることを特徴とする、アクティブ型非接触情報記憶装置。
（付記５）  前記検知手段によって前記ＩＣカードが有ることが検知されたとき、前記制御部は、前記ＩＣカード読取り書込み手段をイネーブルして、前記ＩＣカード読取り書込み手段にＩＤ要求を供給し、前記ＩＤ要求に応答して前記ＩＣカード読取り書込み手段によって読み取られた前記ＩＣカードのＩＤおよびデータを受け取って前記メモリに格納し、次いで前記ＩＣカード読取り書込み手段をディセーブルし、
前記受信部が前記非接触情報読取り書込み装置から前記ＩＤ要求を搬送するＲＦ信号を受信したとき、前記制御部は、前記ＩＤ要求を搬送するＲＦ信号に応答して、前記送信部を、前記メモリに格納されている前記ＩＣカードのＩＤを含む応答を搬送するＲＦ信号を送信するよう動作させることを特徴とする、付記４に記載のアクティブ型非接触情報記憶装置。
（付記６）  前記検知手段によって前記ＩＣカードが無いことが検知されたとき、前記制御部は前記メモリにおける前記ＩＣカードのＩＤを削除するものであることを特徴とする、付記５に記載のアクティブ型非接触情報記憶装置。
（付記７）  前記メモリに格納されてから所定時間が経過したとき、前記制御部は前記メモリにおける前記ＩＣカードのＩＤを削除するものであることを特徴とする、付記５に記載のアクティブ型非接触情報記憶装置。
（付記８）  前記受信部が前記非接触情報読取り書込み装置から前記ＩＤ要求を搬送するＲＦ信号を受信したとき、前記制御部は、前記ＩＤ要求を搬送するＲＦ信号に応答して、前記検知手段によって前記ＩＣカードが有ることが検知されているとき、前記ＩＣカード読取り書込み手段をイネーブルして、前記ＩＣカード読取り書込み手段にＩＤ要求を供給し、前記ＩＤ要求に応答して前記ＩＣカード読取り書込み手段によって読み取られた前記ＩＣカードのＩＤおよびデータを受け取って、次いで前記ＩＣカード読取り書込み手段をディセーブルし、前記送信部を、前記ＩＣカードのＩＤを含む応答を搬送するＲＦ信号を送信するよう動作させることを特徴とする、付記４に記載のアクティブ型非接触情報記憶装置。
（付記９）  さらに、符号化された暗号ＩＤ要求を復号し暗号解読して、復号された平文のＩＤ要求を再生する復号部と、
ＩＤを暗号化し符号化して符号化された暗号データを生成する符号化部と、
を具え、
前記制御部は、前記受信部を、所定の周期毎の所定期間に第１の周波数のＲＦ信号をキャリア・センスして検知するよう制御し、
前記受信部が或る所定期間に前記第１の周波数のＲＦ信号をキャリア・センスして検知したとき、前記制御部は、前記受信部をさらに前記符号化された暗号ＩＤ要求を搬送するＲＦ信号を受信するよう動作させ、前記復号部を前記平文のＩＤ要求を再生するよう動作させ、前記平文のＩＤ要求に応答して、前記符号化部に前記メモリまたは前記ＩＣカードから取り出したＩＤを暗号化して符号化させ、前記送信部に前記符号化された暗号ＩＤを含む応答を搬送する第２の周波数のＲＦ信号を送信させ、
前記制御部は、キャリア・センスのとき、前記或る所定期間および次の所定期間において前記受信部を動作状態にしかつ前記復号部、前記符号化部および前記送信部を不動作状態にし、前記受信部が前記或る所定期間に前記第１の周波数のＲＦ信号をキャリア・センスしても検知されなかったとき、前記キャリア・センスの前記或る所定期間と次にキャリア・センスを行うべき前記次の所定期間との間の非キャリア・センス期間において、前記受信部、前記復号部、前記符号化部および前記送信部を不動作状態を維持するよう制御することを特徴とする、付記４に記載のアクティブ型非接触情報記憶装置。
【図面の簡単な説明】
【０１０１】
【図１Ａ】図１Ａは、従来の改良型のアクティブＲＦ  ＩＤタグを読み取るためのリーダ／ライタ装置とＲＦ  ＩＤタグのタイムチャートを示している。
【図１Ｂ】図１Ｂは、ＩＣカードに格納されたユーザのＩＤおよび関連するデータをリーダ／ライタ装置に送信する場合におけるアクティブＲＦ  ＩＤタグの構成を示している。
【図２】図２は、さらに改良されたアクティブＲＦ  ＩＤタグとリーダ／ライタ装置の構成を示している。
【図３】図３Ａは、リーダ／ライタ装置のコマンドを含むＲＦ信号の送信処理のタイミングを示している。図３Ｂは、リーダ／ライタ装置の受信待ち状態および受信ＲＦ信号の受信処理のタイミングを示している。図３Ｃは、アクティブＲＦ  ＩＤタグのキャリア・センス、受信ＲＦ信号の受信処理、および応答を含むＲＦ信号の送信処理のタイミングを示している。
【図４】図４は、リーダ／ライタ装置によって実行される処理のフローチャートを示している。
【図５Ａ】図５Ａおよび５Ｂは、アクティブＲＦ  ＩＤタグによって実行される処理のフローチャートを示している。
【図５Ｂ】.
【図６】図６は、図２の構成を変形したより安全なアクティブＲＦ  ＩＤタグとリーダ／ライタ装置の構成を示している。
【図７】図７Ａは、リーダ／ライタ装置のＩＤ要求コマンドを含むＲＦ信号の送信処理のタイミングを示している。図７Ｂは、リーダ／ライタ装置の受信待ち状態および受信ＲＦ信号の受信処理のタイミングを示している。図７Ｃは、アクティブＲＦ  ＩＤタグのキャリア・センス、受信ＲＦ信号の受信処理、および認証成功の場合における応答を含むＲＦ信号の送信処理のタイミングを示している。
【図８】図８は、リーダ／ライタ装置によって実行される処理のフローチャートを示している。
【図９Ａ】図９Ａおよび９Ｂは、アクティブＲＦ  ＩＤタグによって実行される処理のフローチャートを示している。
【図９Ｂ】.
【図１０】図１０Ａおよび１０Ｂは、改良されたアクティブＲＦ  ＩＤタグとリーダ／ライタ装置で構成される情報アクセス・システムを利用した、本発明の実施形態による、カード・スロットを有するＩＣカード・ホルダの形態のアクティブＲＦ  ＩＤタグを示している。
【図１１】図１１は、ＩＣカード・ホルダの形態のアクティブＲＦ  ＩＤタグの構成を示している。
【図１２】図１２は、ＲＦ  ＩＤタグおよびリーダ／ライタ装置の動作の手順を示している。
【図１３】図１３は、ＲＦ  ＩＤタグおよびリーダ／ライタ装置の動作の別の手順を示している。
【図１４】図１４Ａは、リーダ／ライタ装置のＩＤ要求コマンドを含むＲＦ信号の送信処理のタイミングを示している。図１４Ｂは、リーダ／ライタ装置の受信待ち状態および受信ＲＦ信号の受信処理のタイミングを示している。図１４Ｃは、図１３に対応するアクティブＲＦ  ＩＤタグのキャリア・センス、受信ＲＦ信号の受信処理、および認証成功の場合における応答を含むＲＦ信号の送信処理のタイミングを示している。
【符号の説明】
【０１０２】
２０４  アクティブ型ＲＦ  ＩＤタグ
２０６  カード・スロット
１９０  通信部
２１０  制御部
２１４  メモリ
２７０  ウェイクアップ部
２９０  バッテリ
６０２  通信部
６０４  スイッチ制御部
６０６  カード・センサ
６２０  ＩＣカード
ＳＷ  電源スイッチ
【図１Ａ】
2007065960.tif 000003
【図１Ｂ】
2007065960.tif 000004
【図２】
2007065960.tif 000005
【図３】
2007065960.tif 000006
【図４】
2007065960.tif 000007
【図５Ａ】
2007065960.tif 000008
【図５Ｂ】
2007065960.tif 000009
【図６】
2007065960.tif 000010
【図７】
2007065960.tif 000011
【図８】
2007065960.tif 000012
【図９Ａ】
2007065960.tif 000013
【図９Ｂ】
2007065960.tif 000014
【図１０】
2007065960.tif 000015
【図１１】
2007065960.tif 000016
【図１２】
2007065960.tif 000017
【図１３】
2007065960.tif 000018
【図１４】
2007065960.tif 000019